(57)【要約】【課題】より低ノイズのケーブルＰ１とする。【解決手段】複数の絶縁心線１１を撚り合わせ、その外周面に、半導電性テープ１３を押え巻きした後、電気遮蔽層１４を介在してシース１５を形成した低ノイズケーブルＰ１である。その絶縁心線１１の絶縁被覆１１ｂは断面扇状をして、その各扇状絶縁被覆１１ｂの側面１１ｂ’は相互に密着又は融着している。このように、各絶縁被覆１１ｂが扇状で、その側面１１ｂ’が密着又は融着した構成であると、各絶縁心線が相互に間隙なくソリッド状となって動き難いため、震動が与えられても相互に動くことがなく、各絶縁心線の絶縁被覆間相互の摩擦による静電雑音電圧（ノイズ）は発生しない。半導電性テープ１３の硬度を絶縁被覆１１ｂの硬度より高くしたり、絶縁被覆１１ｂの体積抵抗率を１０＾１１〜１０＾１３Ωｃｍとしたりすれば、よりノイズ発生は抑えられる。【選択図】図１
2008146916.tif 000002
【特許請求の範囲】
【請求項１】
複数の絶縁心線（１１）を撚り合わせ、その外周面に電気遮蔽層（１４）を介在してシース（１５）を形成した低ノイズケーブル（Ｐ１）において、
上記絶縁心線（１１）の絶縁被覆（１１ｂ）を断面扇状にして、その各絶縁心線（１１）の扇状絶縁被覆（１１ｂ）がケーブル中心周りにその各扇状絶縁被覆（１１ｂ）の側面（１１ｂ’）が接して配置されているとともにその外周面が上記シース（１５）で被覆されていることを特徴とする低ノイズケーブル。
【請求項２】
上記撚り合わされた複数の絶縁心線（１１）の外周面にテープ（１３）を押え巻きし、その外周面に上記電気遮蔽層（１４）を介在してシース（１５）を形成したことを特徴とする請求項１に記載の低ノイズケーブル。
【請求項３】
上記各絶縁心線（１１）の絶縁被覆（１１ｂ）が上記テープ（１３）を押え巻きすることにより変形して断面扇状となってケーブル中心周りにその各扇状絶縁被覆（１１ｂ）の側面（１１ｂ’）が接して配置されることを特徴とする請求項２に記載の低ノイズケーブル。
【請求項４】
上記テープ（１３）の硬度を上記絶縁心線（１１）の絶縁被覆（１１ｂ）の硬度より高くしたことを特徴とする請求項２又は３に記載の低ノイズケーブル。
【請求項５】
上記各絶縁心線（１１）の絶縁被覆（１１ｂ）はその側面（１１ｂ’）でもって相互に密着又は融着されていることを特徴とする請求項１乃至４の何れかに記載の低ノイズケーブル。
【発明の詳細な説明】
【技術分野】
【０００１】
この発明は、複数の絶縁心線を撚り合わせ、その外周面に電気遮蔽層を介在してシースを形成した低ノイズケーブルに関する。
【背景技術】
【０００２】
震動を検出する加速度センサ等からその検出信号を導き出したり、震動が生じているところから各種の信号を導き出したりする場合、その導出ケーブルに各種の震動が生じ、その震動によって、信号にノイズが進入して信頼性が低下する。
一方、信号伝達ケーブルは複数の絶縁心線を介して撚り合わせ、その外周面にシースを形成したものである。このケーブルが震動すると、各絶縁心線の絶縁被覆間相互の摩擦による静電雑音電圧が発生し、その静電雑音電圧が絶縁心線の電気導体に入り込んで、ノイズとなる。
このため、そのようなノイズが生じない低ノイズ（耐ノイズ）のものが要求される。
【０００３】
その低ノイズケーブルとして、図６に示すように、複数の絶縁心線１を介在２を介して撚り合わせ、その外周面に半導電性テープ３を押え巻きし、さらに、その外周面に電気遮蔽層４を介在してシース５を形成したものがある。
この低ノイズケーブルＰ２は、介在２の存在により、震動時の各絶縁心線１相互間の動きが規制され、その震動による各絶縁心線１の絶縁被覆間相互の摩擦による静電雑音電圧の発生を抑制する。
【発明の開示】
【発明が解決しようとする課題】
【０００４】
各種の技術が高度化する今日、信号伝達ケーブルにも、より正確に信号伝達し得るものが要求され、上記構成の低ノイズケーブルＰ２以上の性能（低ノイズ）を求められつつある。
【０００５】
この発明は、上記の構成の低ノイズケーブルＰ２以上の低ノイズケーブルとすることを課題とする。
【課題を解決するための手段】
【０００６】
上記課題を解決するために、この発明は、各絶縁心線間の相互の動きを従来に対してより規制すべく、その絶縁被覆を断面扇状として、その各絶縁心線の扇状絶縁被覆がケーブル中心周りにその各扇状絶縁被覆の側面が接して配置されているものとしたのである。
このような各絶縁心線の構成であると、各絶縁心線が相互に間隙なくソリッド状となって動き難い態様となる。このため、震動が与えられても相互に動くことがなく、各絶縁心線の絶縁被覆間相互の摩擦による静電雑音電圧は発生しない。
【０００７】
この発明の構成は、複数の絶縁心線を撚り合わせ、その外周面に電気遮蔽層を介在してシースを形成した低ノイズケーブルにおいて、その絶縁心線の絶縁被覆を断面扇状にして、その各絶縁心線の扇状絶縁被覆がケーブル中心周りにその各扇状絶縁被覆の側面が接して配置されているとともにその外周面が上記シースで被覆されているものとする。
【０００８】
この構成において、上記撚り合わされた複数の絶縁心線の外周面にテープを押え巻きし、その外周面に上記電気遮蔽層を介在してシースを形成した構成とすれば、そのテープを押え巻きすることにより、撚り合わされた複数の絶縁心線の外形の円状が確保されると共に、絶縁心線同士が強固に圧接して相互間の摩擦抵抗が大きくなる。このため、絶縁心線同士相互間の滑りが抑制されて各絶縁心線が動き難く、各絶縁心線の絶縁被覆間相互の摩擦による静電雑音電圧の発生がより抑制される。
そのテープには、導電性、半導電性、絶縁性のものをケーブルの使用目的・個所等に応じて適宜に選択する。
【０００９】
このテープを押え巻きする構成においては、上記各絶縁心線の絶縁被覆がそのテープを押え巻きすることにより変形して断面扇状となるものとし得る。
この場合及びそうでない場合（絶縁被覆が予め断面扇状の場合）も含めて、上記テープの硬度を絶縁心線の絶縁被覆の硬度より高くしたものとすることができる。
このようにすれば、ケーブルに外部から衝撃が加わった時、硬いテープでその衝撃を受け止めることにより、その衝撃をテープ全域に拡散して単位面積当たりの衝撃を弱め、その弱まった衝撃を柔らかい絶縁被覆で緩衝するため、絶縁心線の導体には、その衝撃が伝わり難く、ノイズ発生は抑えられると考える。
【００１０】
なお、テープによらず、撚り合わされた複数の絶縁心線の外周面に樹脂をシースとして、又はシースとは別に押出被覆することも考えられるが、その場合、その押出被覆樹脂は絶縁心線の絶縁被覆より硬いものを使用することとなる。一方、テープの押え巻きは巻回層の各テープの境目で容易に曲がるため、屈曲し易い。このため、押出被覆とテープの硬度を同じとした場合、前者の押出被覆に比べて、後者のテープ押え巻きの方がケーブルとしては可撓性が高いものとなる。可撓性がよいことは、ケーブル長手方向に衝撃を分散して低ノイズ性にも有効である。因みに、その押出被覆樹脂は、テープと同様に、導電性、半導電性、絶縁性のものをケーブルの使用目的・個所等に応じて適宜に選択する。
【００１１】
上記の各構成において、上記各絶縁心線の絶縁被覆はその側面でもって相互に密着又は融着されている構成とすると良い。
各絶縁被覆が密着又は融着されておれば、各絶縁被覆相互間の移動も生じにくく、これにより、ノイズ発生は抑えられると考える。また、密着又は融着であれば、絶縁心線接続作業において、テープ押さえ巻きで圧接された絶縁心線同士を個々の心線に容易に分離することができる。その密着又は融着手段としては、押さえ巻きテープによる密着、加熱による融着等の種々の周知の手段を採用することができる。例えば、融着は、撚り合わされた複数の絶縁心線の外周面にテープを押え巻きし、その外周面に上記電気遮蔽層を介在してシースを被覆する際、シース押出被覆の熱で絶縁心線の絶縁被覆材の表面を一部軟化させて、絶縁被覆材同士を融着させる。
また、上記絶縁心線の絶縁被覆の体積抵抗率は、各絶縁被覆の相互間移動による摩擦に基づく静電気の発生を減少させる面から、できるだけ小さいことが望まれ、例えば、１０＾１１〜１０＾１３Ωｃｍとする。
【発明を実施するための最良の形態】
【００１２】
図１に一実施形態を示し、この実施形態は図４に示す仕様に基づくものであって、４本（４Ｃ)の絶縁心線１１・・を撚り合わせ、その外周面に半導電性テープ１３を押え巻きし、さらにその周りに電気遮蔽層１４を介在してシース１５を形成したものである。
【００１３】
その絶縁心線１１の導体１１ａは、特公平２−４６６５６号公報記載の「Ｆｅ、ＰＺｒ、Ｉｎを適宜量含有する析出強化銅合金」を採用し、その絶縁被覆１１ｂ及びシース１５は、塩化ビニール（ＰＶＣ）：１００重量％、可塑剤（ＤＯＰ他）：９０重量％、安定剤（Ｐｂ系）：４重量％、充填材（重質炭酸カルシウム）：５０重量％、その他（着色剤、滑剤）：少々の配合組成とした。
また、半導電性テープ１３は、ナイロンクロス基布の両面に半導電性ブチルゴムを塗布・加硫したものであって、このテープ１３の体積抵抗率は５×１０＾４Ωｃｍ（９０℃）であった。
さらに、上記絶縁心線１１の絶縁被覆１１ｂの硬度はショアＤ３１、半導電性テープ１３の硬度はショアＤ５４として、半導電性テープ１３の硬度を絶縁心線１１の絶縁被覆１１ｂの硬度より高くした。
【００１４】
この硬度の絶縁被覆１１ｂからなる絶縁心線１１を図３に示すように撚り合わせ、その外周面に半導電性テープ１３を横巻きによる押え巻きすることによって、図１に示すように、その各絶縁心線１１の絶縁被覆１１ｂを断面円状から断面扇状にして、その各扇状絶縁被覆１１ｂがケーブル中心周りにその各扇状絶縁被覆１１ｂの側面１１ｂ’のほぼ全域が接して配置されているものとした。
なお、図１においては、各絶縁被覆１１ｂ相互間および絶縁被覆１１ｂと半導電性テープ１３の間に空隙があるように記載しているが、これは、各絶縁被覆１１ｂと半導電性テープ１３の境界を明確にするためであって、実際には、各絶縁被覆１１ｂ相互間は融着し、絶縁被覆１１ｂと半導電性テープ１３の間は圧接状態である。
【００１５】
この半導電性テープ１３が押え巻きされて、各絶縁心線１１の絶縁被覆１１ｂが断面扇状となって撚り合わされたものの外周面に、電気遮蔽層１４を介在してシース１５を押出し被覆して形成し、この実施形態の低ノイズケーブルＰ１を得た。
その半導電性テープ１３の押え巻き外周面にシース１５を形成（被覆）する際、シース押出被覆の熱（シース押出温度を例えば１６０℃）で絶縁心線１１の絶縁被覆１１ｂの表面が一部軟化（ＰＶＣ軟化温度：９５℃）して、絶縁被覆１１ｂ、１１ｂ同士が融着した。
【００１６】
この低ノイズケーブルＰ１の４ｍ長を、図５（ｂ）に示すように、オシロスコープＣを組み込んだ検出回路に接続し、同図（ａ）に示すように、その低ノイズケーブルＰ１をその中程で折り返してその両端を手で掴み、鉄製テーブルＴに１０回、各回の速度が同じになるように叩きつけ、その各叩きつけ時のオシロスコープＣに表示されたノイズ電圧のピークの絶対値を測定したところ、その１０回の測定値の平均は「３ｍＶ」であった。
比較例として、図７に示す仕様の図６に示す従来の構成の低ノイズケーブルＰ２において、同様の試験を行ったところ、平均は「６８ｍＶ」であった。なお、比較例の絶縁被覆１ｂはＥＴＦＥ（エチレンテトラフルオロエチレン)、半導電性テープ３はＰＴＦＥ（ポリテトラフルオロエチレン)とした。
【００１７】
このことから、この実施形態のケーブルＰ１は、従来構成のケーブルＰ２に比べて、衝撃に対してノイズの生じにくい低ノイズのものであることが理解できる。
【００１８】
なお、支障がない限りにおいて、各絶縁心線１１の間の空隙に従来の介在２を適宜に介設することができる。
また、実施形態の４心ケーブルＰ１に限らず、２心、３心、５心、６心・・・の各ケーブルにおいても、この発明を採用することによって、低ノイズなものとすることができる。
さらに、絶縁心線１１の絶縁被覆１１ｂ、テープ１３、シース１５等の材料も上記のものに限らず、例えば、テープ１３を絶縁性のものなどとケーブルP１の使用目的・個所等において適宜に変更できることは言うまでもない。
【００１９】
この発明に係る低ノイズケーブルＰ１は、衝撃によるノイズ発生が嫌われる種々のセンサ等からの信号ケーブルとして使用することができる。例えば、加速度センサからの信号ケーブルとして使用でき、その加速度センサは、圧電素子、動電素子、ひずみゲージ、半導体素子等を使用したものが一般的であり、自動車や電車のような乗り物をはじめ、パソコンやオーディオ機器などの電気製品やそこに使われる電子部品、産業機器、各種プラント、地盤と建築物、果ては人間自身の動きの測定用などに使用できる。
例えば、（１）鉄鋼、製紙、石油化学、発電所、セメント工場などの回転機械の振動監視とベアリングの劣化診断等の各種プラントの異常振動監視・設備診断、（２）自動車、航空機、船舶、ロケット、衛星からモータ、ＨＤＤ、ファン、ＡＶ機器、携帯電話等の製品の振動特性研究と信頼性試験および出荷検査、（３）旋盤、研削盤、シリコンウエハ洗浄機のバランス修正等のアンバランス振動測定、（４）ビル、ダム、橋梁、鉄塔等の大型構造物の耐震性研究、（５）クリーンルーム、インテリジェントビル等の空調機の運転状態監視、（６）建設現場、道路交通、工場、地盤等の振動公害の調査、（７）プラントの保全、 省エネ対策等の配管やトラップのリーク検出、（８）輸送環境の調査、包装資材の合理化等の製品輸送時の振動・衝撃計測、（９）鉄道、自動車、航空機、農機、建機等の車輛の乗り心地研究、（１０）スキー板、ラケット、ヘルメットの振動モード解析等のスポーツ用品の開発、（１１）骨粗鬆症の診断、人体の動作モニター等の医療分野、（１２）水道の漏水音検知、災害時の人命救助等の聴音器としての利用などが考えられる。
【図面の簡単な説明】
【００２０】
【図１】一実施形態の断面図
【図２】同実施形態の絶縁心線の絶縁被覆の寸法説明図
【図３】同実施形態の製作説明図
【図４】同実施形態の仕様説明図
【図５】同実施形態の性能試験説明図
【図６】従来例の断面図
【図７】同従来例の仕様説明図
【符号の説明】
【００２１】
Ｐ１、Ｐ２  低ノイズケーブル
１、１１  絶縁心線
１１ａ  絶縁心線の導体
１１ｂ  絶縁心線の絶縁被覆
１１ｂ’  絶縁被覆側面
２  介在
３、１３  半導電性テープ
４、１４  電気遮蔽層
５、１５  シース
【図１】
2008146916.tif 000003
【図２】
2008146916.tif 000004
【図３】
2008146916.tif 000005
【図４】
2008146916.tif 000006
【図５】
2008146916.tif 000007
【図６】
2008146916.tif 000008
【図７】
2008146916.tif 000009